(57)【特許請求の範囲】
【請求項１】
遊技盤４の盤面所望位置に、遊技球Ｂ2 を受入れて入賞球Ｂ1 として遊技盤４の後側に流出し得る入賞装置Ａ1 を備えた遊技機において、
前記入賞装置Ａ1 は、
前記遊技盤４の盤面に取着されて該遊技盤４の前後に開通された球誘導穴５に球通過口１６を連通した装置本体１５と、この装置本体１５の球通過口１６の前側に形成されて上面に入賞口１を開口し下面に球出口１７を開口したカップ状の入賞口部２と、該入賞口部２の前側下端縁と前記装置本体１５の球通過口１６の前側下端縁との間に連接された入賞球用の球誘導リブ３とで構成され、
前記球誘導リブ３は、前記入賞口部２の球出口１７の下方で後向きに下り斜面となって延出されて入賞球Ｂ1 を前記球通過口１６から前記球誘導穴５へ誘導可能とすると共に、
前記入賞口部２の下端部の左右両側と前記球誘導リブ３の左右両側には、遊技球Ｂ2 の直径よりも狭く形成されて入賞球Ｂ1 が盤面側に流出不能とされ、かつ遊技球Ｂ2 が部分的な進入状態で転動可能とされた空間状の開口部７が形成されていることを特徴とする遊技機。
【発明の詳細な説明】
【０００１】
【発明の属する技術分野】
本発明は、入賞装置の改良によって、遊技釘の配置等の盤面構成の自由度を高めた入賞装置を備えた遊技機に関するものである。
【０００２】
【従来の技術】
近年、液晶表示装置や可動入賞装置等の盤面のほぼ中央に配置されるセンター役物は、パチンコ機の遊技の趣向を左右する割合が高くなっているため、大型化の傾向にある。また、遊技領域の周縁部に進入した配置でランプを設けて、パチンコ機としての装飾効果を高める場合もある。このような場合に、レールで囲まれる遊技領域の面積を拡大するのは、パチンコ機の寸法規制等の観点から好ましくないため、大型化されたセンター役物、ランプ等を配置して残された遊技領域に配置される風車、入賞装置、遊技釘（球誘導釘）等の他の遊技要素の配置位置の制限が増えたり、配置に関する新たな問題が生ずる場合がある。
【０００３】
その問題の一つとして、入賞装置に関するものがある。図１３には、液晶図柄表示装置から成る大型の表示画面を備えたセンター役物Ｃが盤面のほぼ中央部に配置され、該センター役物Ｃと、その下方に配置されたアタッカー装置Ｄとの間の遊技領域に上記した従来の入賞装置Ａ’が配置されたパチンコ機が示されている。入賞装置Ａ’のほぼ下半部には、内部に入った入賞球を遊技盤裏側に誘導するための球誘導部（腹部）が設けられているが、従来の入賞装置Ａ’の球誘導部２１は、その内部全体が半筒状となって覆われていて、その外部の遊技領域とは完全に分離された構造であった。よって、上記のように大型の表示画面を備えたセンター役物Ｃを配置したパチンコ機では、該センター役物Ｃとアタッカー装置Ｄとの間の距離が短くなるのに加えて、入賞装置Ａ’の球誘導部が上記構造であったために、入賞装置Ａ’を外れた遊技球をアタッカー装置Ｄの幅方向の中央部に誘導するのが難しいという問題が生ずる。
【０００４】
図１３を参照にして、上記問題について、更に詳細に説明する。入賞装置Ａ’とアタッカー装置Ｄとの間の盤面には、遊技盤の縦中心線（遊技釘Ｎ2 の中心を通る垂直線）に対してほぼ対称に多数の遊技釘が打設されている。例えば、特定の遊技球Ｂ2 が、盤面右サイドから多数の遊技釘に接触・衝突して入賞装置Ａ’の近傍まで誘導されて、その斜右下方に打設された遊技釘Ｎ1 と入賞装置Ａ’の球誘導部（腹部）２１との間を通過した場合には、該遊技球Ｂ2 は、引き続いて、遊技釘Ｎ1 と同Ｎ2 との間を通過して、両釘Ｎ1,Ｎ2 の間であって、しかもいずれの釘Ｎ1,Ｎ2 よりも下方に打設された別の遊技釘Ｎ3 に衝突して、該遊技釘Ｎ3 の右方又は左方を通過して流下することになる。
【０００５】
ここで、パチンコ機の趣向を高める観点からは、各遊技釘Ｎ1,Ｎ2,Ｎ3 の打設位置は、遊技釘Ｎ3 に衝突した遊技球の多くが、その下方に前記アタッカー装置ＤのゲートＤ1 、大入賞口Ｄ2 、普通変動入賞口Ｄ3 が並ぶ遊技釘Ｎ3 の左方を流下することが望ましい。しかし、入賞装置Ａ’の高さ方向の配設位置が、ゲートＤ1 の上部に打設する遊技釘Ｎ2 に近接するために、該遊技釘Ｎ2 と高さをほぼ同一にして、その右方に打設される別の遊技釘Ｎ1 の打設位置は、入賞装置Ａ’の球誘導部２１の外周面との間に球一つ分以上の空間の確保が必要であるという制約を受けるために、所望位置よりも右方にずれてしまう。このため、上方から遊技釘Ｎ3 に衝突した遊技球は、遊技釘Ｎ3 と同Ｎ2 との間の流路より釘間距離の大きい遊技釘Ｎ3 と同Ｎ1 との間の流路に流れてしまう。その結果、アタッカー装置Ｄの中央部に配設されたゲートＤ1 を通過して、大入賞口Ｄ2 、普通変動入賞口Ｄ3 に入賞し易い中央部を落下する流路を流れる遊技球が少なくなって、遊技の趣向が減ぜられる。
【０００６】
また、遊技領域の左右の周縁部に進入した状態にしてサイドランプを設けることにより、左右の遊技領域が狭くなったパチンコ機において、上記した入賞装置をサイドランプのすぐ内側に配置する場合がある。このような配置においては、入賞装置とサイドランプとの間に遊技球を通過させる流路を設けることは、盤面配置の関係からして容易ではない。特に、サイドランプの内側側壁部と入賞装置の球誘導部（腹部）との間が最も狭くなり易く、この部分にいかにして遊技球の通路を確保するかが大きな問題となる。
【０００７】
上記したように、遊技領域を狭くする傾向にある近年のパチンコ機においては、従来においては問題とならなかった入賞装置の遊技盤面上に突出した部分の丈寸法（高さ方向の寸法）が、遊技球の流下経路形成に大きな影響を与え、ひいては盤面に打設する遊技球のゲージ構成にも影響を及ぼすに至っている。
【０００８】
しかし、従来の入賞装置は、遊技領域に突出している入賞口部、及び球誘導部（腹部）のいずれも、それらの内部の全体が覆われているのに加えて、球衝突に耐え得る強度を保持するのに必要な肉厚を有して、球通過のための最小限の通路空間に配置されていて、これ以上の小型化は、困難と考えられていた。
【０００９】
【発明が解決しようとする課題】
本発明の課題は、入賞装置内の入賞球の移動空間の一部に、該入賞装置の外部において遊技盤上を転動する遊技球が進入した状態で転動可能にして、遊技釘の配置等の盤面構成の自由度を高めることである。
【００１０】
【課題を解決するための手段】
上記課題を解決するために請求項１の発明は、遊技盤の盤面所望位置に、遊技球を受入れて入賞球として遊技盤の後側に流出し得る入賞装置を備えた遊技機において、前記入賞装置は、前記遊技盤の盤面に取着されて該遊技盤の前後に開通された球誘導穴に球通過口を連通した装置本体と、この装置本体の球通過口の前側に形成されて上面に入賞口を開口し下面に球出口を開口したカップ状の入賞口部と、該入賞口部の前側下端縁と前記装置本体の球通過口の前側下端縁との間に連接された入賞球用の球誘導リブとで構成され、前記球誘導リブは、前記入賞口部の球出口の下方で後向きに下り斜面となって延出されて入賞球を前記球通過口から前記球誘導穴へ誘導可能とすると共に、前記入賞口部の下端部の左右両側と前記球誘導リブの左右両側には、遊技球の直径よりも狭く形成されて入賞球が盤面側に流出不能とされ、かつ遊技球が部分的な進入状態で転動可能とされた空間状の開口部が形成されていることを特徴としている。
【００１１】
請求項１の発明によれば、遊技盤の盤面に配置された入賞装置の球出口の下方に入賞球用の球誘導リブを形成して、入賞装置の下側部分の左側と右側に空間状の開口部を形成していることにより、入賞装置に入った入賞球を遊技盤の裏側に流出し得る一方、遊技領域において入賞装置の左右近傍を通過する遊技球を入賞装置の開口部の範囲内に部分的に進入させて転動可能とし得る。これにより従来のこの種の入賞装置に比較して、本発明では、遊技盤の遊技領域における遊技球の転動領域として、入賞装置の開口部の範囲内を含めて部分的に拡大できる。
【００１２】
この結果、遊技盤において、センター物が大型化されたり、大きなサイドランプが取付けられる等して、遊技領域が狭くなっても、入賞装置の周辺に配置される遊技釘、風車等の配置（レイアウト）の自由度が高められ、ひいては遊戯の趣向が増す。
【００１３】
【発明の実施の形態】
以下、複数の実施例を挙げて、本発明について更に詳細に説明する。図１は、本発明に係るパチンコ機の盤面の正面図であり、図２は、図１の盤面中央部の拡大図であり、図３は、本発明の第１実施例の入賞装置Ａ1 の正面図であり、図４は、図３のＸ1 −Ｘ1 線断面図であり、図５は、図３のＸ2 −Ｘ2 線断面図であり、図６は、入賞装置Ａ1 の斜視図である。なお、上記した「従来の技術」の項目で説明した部分と同一部分には、同一符号を付し、重複説明を避けて、本発明独自の部分についてのみ説明する。入賞装置Ａ1 は、図３ないし図６に示されるように、遊技盤４の盤面（遊技領域ともいう）に取着される装置本体１５と、この装置本体１５の縦央に開口された球通過口１６の前側上部に形成されて上面に入賞口１を開口し下面に球出口１７を開口した深カップ状の入賞口部２と、入賞球用の球誘導部として、入賞口部２の下端縁から球通過口１６の下端縁との間で球出口１７の下方に延出して形成された球誘導リブ３とで構成される。遊技盤４の盤面における前記入賞装置Ａ1 が設けられる部分には、球誘導穴５が背面側に貫通して設けられ、該球誘導穴５は、装置本体Ａの球通過口１６と連通されると共に、遊技盤４の背面に配置された球誘導樋６に連通されている。
【００１４】
また、前記球誘導リブ３は、入賞口部２の幅方向の中央下部に配置されて、該入賞口部２の手前側下端部と、装置本体１５の球通過口１６の前側下端部との間を連結していて、その側面形状は、手前側の部分は、上方に大きくわん曲していると共に、残りの部分は、遊技盤４の盤面に近付くに従って低くなるように傾斜している。このため、図５に示されているように、入賞口１から入った入賞球Ｂ1 は、装置本体１５の球出口１７から出て球誘導リブ３の傾斜を下って球通過口１６から球誘導穴５を通過して球誘導樋６の側に流出する。また、図６に示されているように、入賞口部２の下端部の左右両側と球誘導リブ３の左右両側の間には、遊技球Ｂ1 の直径より狭く形成されて入賞球Ｂ1 が盤面側に通過（流出）不能で、かつ遊技球Ｂ2 が部分的に進入した状態で転動可能とされた空間状の開口部７がそれぞれ形成されていて、正面視において前記球通過口１６及び前記球誘導穴５の下部分が透視できる形状になっている。このため、図２及び図３に示されるように、入賞装置Ａ1 の外部の左右両側において遊技盤４の盤面上を転動する遊技球Ｂ2 は、入賞口部２と球誘導リブ３との間に形成された空間状の開口部７に進入した状態で転動（移動）し得、その際に入賞口１から入って入賞口部２内を通過して、前記球誘導リブ３により遊技盤４の裏側に誘導されつつある入賞球Ｂ1 の移動軌跡と干渉した状態（移動軌跡内に進入した状態）で転動することがある。
【００１５】
このため、図２及び図１３にそれぞれ示されているように、入賞装置Ａ1 の幅方向の中央部の直下に最も近接して打設される遊技釘Ｎ2 と、その側方に打設される遊技釘Ｎ1 との間隔（Ｗ1)を、従来構造における間隔（Ｗ2)〔図１３参照〕よりも狭くできる。この結果、遊技釘Ｎ1 と同Ｎ2 との間を通過して流下した遊技球Ｂ2 は、従来機に比較して、遊技釘Ｎ2 の側に近付き易くなって、遊技釘Ｎ2 と同Ｎ3 との間の流路を流れる確率が高くなる。このため、アタッカー装置Ｄの中央部に配設されたゲートＤ1 を通過する遊技球が多くなって、パチンコ機としての趣向が増す。また、図３及び図４に示されるように、遊技球Ｂ2 が入賞球Ｂ1 の移動軌跡内、つまり開口部７内に進入した際に、入賞球Ｂ1 が入賞口部２から遊技盤４の裏側に流出される状態の場合には、該入賞球Ｂ1 と遊技球Ｂ2 とが瞬間的に衝突することもあるが、通常は、運動エネルギーの小さな入賞球Ｂ1 が入賞装置Ａ1 内で側方、或いは上方に僅かに押されて、遊技球Ｂ2 は、ほぼそのまま通過することとなる。
【００１６】
また、図５に示されるように、入賞装置Ａ1 の入賞口部２には、入賞球Ｂ1 の通過を検出するための球検出スイッチＳが配設されているため、球検出スイッチＳが配設されていない入賞装置に比較して、入賞口部２を含めて入賞装置Ａ1 の全体としての丈（高さ）が長くなる構造となって、入賞装置Ａ1 の近傍を通過する遊技球Ｂ2 の移動を阻害し易くなる（遊技球Ｂ2 の移動範囲が狭められる）。よって、本発明に係る入賞装置は、球検出スイッチＳを備えたものにおいてより有効となる。
【００１７】
また、図１に示されるパチンコ機においては、遊技領域の左右両端部には、円弧状をした大型のサイドランプＬが配設され、本発明に係る入賞装置Ａ1 が左側のサイドランプＬに近接して配置されている。図７は、この状態を示す部分拡大図である。従来構造の入賞装置Ａ’であると、球誘導部２１が半筒状となって、内部全体を覆っているために、側方のサイドランプＬとの間において遊技球Ｂ2 の通路を確保することが難しかったが、本発明に係る入賞装置Ａ1 は、その球誘導部がリブ状となっていて、入賞球Ｂ1 の移動軌跡と干渉して遊技球Ｂ2 が移動可能な構造であるために、サイドランプＬに近接して配置しても、遊技球Ｂ2 の通路を確保できる。
【００１８】
また、図８ないし図１０に、本発明の第２実施例の入賞装置Ａ2 が示されている。この入賞装置Ａ2 は、水平軸を中心にして左右に揺動可能な球誘導板８を備えている。即ち、球誘導板８は、その側面視において、手前側に配置される端部が上方に大きくわん曲された形状であると共に、奥側から手前側に向けて、その幅が漸次広くなった形状をしていて、正面視において、逆台形状をしており、更に、その側面は、該球誘導板８が揺動しても、入賞球Ｂ1 が側面の開口より外に飛び出さない形状になっている。球誘導板８の手前側の垂直となった端部には、略円形の凹部９が形成されていて、入賞口部２の手前側の中央下端部に設けられた略円板状の支持部１１が前記凹部９の前面側に配置されて、両者は、水平に支持された支持ピン１２を介して支持されている。このため、球誘導板８は、入賞球Ｂ1 を開口部から通過不能な状態で、前記支持ピン１２を中心にして左右に揺動可能となる。図９に示されているように、球誘導板８の奥側の端面と盤面との間には、所定の隙間が設けられていて、球誘導板８の揺動時に、盤面に接触しないようになっている。
【００１９】
よって、図８に示されるように、遊技球Ｂ2 が球誘導板８の側面に衝突して、球誘導板８が非揺動状態における入賞球Ｂ1 の移動軌跡内に進入した場合には、同図で二点鎖線で示されるように、該球誘導板８が支持ピン１２を中心にして反対側に揺動して、衝突した遊技球Ｂ2 は、そのまま入賞装置Ａ2 の周辺を通過できる。また、入賞球Ｂ1 は、球誘導板８の上面の傾斜面を転動して、盤面の奥側に誘導される。このため、入賞装置Ａ2 の周辺の遊技球Ｂ2 の移動通路は、従来機に比較して広くなって、当該領域の遊技釘の打設位置の自由度が高まる。
【００２０】
また、図１１及び図１２には、本発明の第３実施例の入賞装置Ａ3 が示されている。この入賞装置Ａ3 の球誘導部は、可撓性を有するネットで構成されている。即ち、球誘導ネット１３の全周が、入賞口部２の下端面の全周縁と、盤面とに半筒状となって取付けられて、球誘導ネット１３の内部は、該ネット１３を介して外部の遊技領域と分離されている。また、球誘導ネット１３が取付けられた自然状態では、図１２に示されるように、その底部に傾斜が形成されることが必要である。
【００２１】
このため、図１１に示されるように、入賞球Ｂ1 の移動軌跡内に遊技球Ｂ2 が進入した場合には、球誘導ネット１３を極めて小さな力で押しながら、該遊技球Ｂ2 は、そのまま入賞装置Ａ3 の周辺を通過できる。また、入賞球Ｂ1 は、球誘導ネット１３の傾斜部を転動して、盤面の奥側に誘導される。なお、図１１において、２点鎖線は、入賞口１に入った入賞球Ｂ1 と、入賞装置Ａ3 の周辺を通過する遊技球Ｂ2 とが衝突した状態を示すものであって、この場合においても、瞬間的に球誘導ネット１３が側方に変形されるが、遊技球Ｂ2 の通過後には、球誘導ネット１３は、原形状に戻って、入賞球Ｂ1 は、該球誘導ネット１３の底部の傾斜部に案内されて、盤面の裏側に支障なく誘導される。なお、球誘導部を構成する可撓性を有する素材は、遊技球Ｂ2 の通過時に小さな力で撓めば足り、ネットに限られない。
【００２２】
また、上記各実施例は、入賞口が固定されている入賞装置に対して本発明を実施した例であるが、本発明は、これに限られるものではなく、例えば、入賞口が開閉する可変入賞装置に対しても実施可能である。
【００２３】
【発明の効果】
本発明は、遊技盤の遊技領域に配置された入賞装置の球出口の下方に入賞球用の球誘導リブを形成して、入賞装置の下側部分の左側と右側に空間状の開口部を形成していることにより、入賞装置に入った入賞球を遊技盤の裏側に流出し得る一方、遊技領域において入賞装置の左右近傍を通過する遊技球を入賞装置の開口部の範囲内に部分的に進入させて転動可能とし得る。これにより従来のこの種の入賞装置に比較して、本発明では、遊技盤の遊技領域における遊技球の転動領域として、入賞装置の開口部の範囲内を含めて部分的に拡大できる。この結果、遊技盤において、センター物が大型化されたり、大きなサイドランプが取付けられる等して、遊技領域が狭くなっても、入賞装置の周辺に配置される遊技釘、風車等の配置（レイアウト）の自由度が高められ、ひいては遊戯の趣向が増す。
【図面の簡単な説明】
【図１】  本発明に係るパチンコ機の盤面の正面図である。
【図２】  図１の盤面中央部の拡大図である。
【図３】  本発明の第１実施例の入賞装置Ａ1 の正面図である。
【図４】  図３のＸ1 −Ｘ1 線断面図である。
【図５】  図３のＸ2 −Ｘ2 線断面図である。
【図６】  入賞装置Ａ1 の斜視図である。
【図７】  図１の盤面左側部の拡大図である。
【図８】  本発明の第２実施例の入賞装置Ａ2 の正面図である。
【図９】  図８のＹ−Ｙ線断面図である。
【図１０】  入賞装置Ａ2 の斜視図である。
【図１１】  本発明の第３実施例の入賞装置Ａ3 の正面図である。
【図１２】  図１１のＺ−Ｚ線断面図である。
【図１３】  従来のパチンコ機の盤面中央部の正面図である。
【図１４】  従来の入賞装置Ａ’の正面図である。
【図１５】  図１４のＶ−Ｖ線断面図である。
【符号の説明】
Ａ1 〜Ａ3 ：入賞装置
Ｂ1 ：入賞球
Ｂ2 ：遊技球
１：入賞口
２：入賞口部
３：球誘導リブ（球誘導部）
４：遊技盤
７：開口部
８：球誘導板（球誘導部）
１３：球誘導ネット（球誘導部）
１５：入賞装置の装置本体
１６：球通過口
１７：球出口
【図１】
0004274294.tif 000002
【図２】
0004274294.tif 000003
【図３】
0004274294.tif 000004
【図４】
0004274294.tif 000005
【図５】
0004274294.tif 000006
【図６】
0004274294.tif 000007
【図７】
0004274294.tif 000008
【図８】
0004274294.tif 000009
【図９】
0004274294.tif 000010
【図１０】
0004274294.tif 000011
【図１１】
0004274294.tif 000012
【図１２】
0004274294.tif 000013
【図１３】
0004274294.tif 000014
【図１４】
0004274294.tif 000015
【図１５】
0004274294.tif 000016